(57)【要約】      （修正有）【課題】折り畳み傘であってもその長さに関係なく置くことができ且つ傘が損傷するようなことがない傘置きスタンドを提供すること。【解決手段】折り畳み傘Ｋ１を畳んだ状態で置くため傘置きスタンドであって、フレーム枠体１内に前面開放の傘収納用ボックス部２０が多数配列されており、前記傘収納用ボックス部２０の底面２１が、後方に向かって傾斜していると共に前記底面２１の一番低い位置に水抜き孔２２が形成され、少なくとも水抜き孔２２の直下部分には水受け部５が配置されている。【選択図】図２
2007089994.tif 000002
【特許請求の範囲】
【請求項１】
折り畳み傘を畳んだ状態で置くため傘置きスタンドであって、フレーム枠体内に前面開放の傘収納用ボックス部が多数配列されており、前記傘収納用ボックス部の底面が傾斜していると共に前記底面の一番低い位置に水抜き孔が形成され、少なくとも水抜き孔の直下部分には水受け部が配置されていることを特徴とする傘置きスタンド。
【請求項２】
折り畳み傘を畳んだ状態で置くため傘置きスタンドであって、フレーム枠体内に上面開放の傘収納用ボックス部が多数配列されており、前記傘収納用ボックス部の底面が傾斜していると共に前記底面の一番低い位置に水抜き孔が形成されており、少なくとも水抜き孔の直下部分には水受け部が配置されていることを特徴とする傘置きスタンド。
【請求項３】
長さ方向に折り畳み不能な傘を立てた状態で保持する部分を備えていることを特徴とする請求項１又は２記載の傘置きスタンド。
【請求項４】
傘収納用ボックスの開放部には、当該開放部を開閉自在にする扉を設けてあることを特徴とする請求項１乃至３のいずれかに記載の傘置きスタンド。
【請求項５】
傘収納用ボックスを構成する壁面のうち、側面壁は多数の孔を設けたものとしていることを特徴とする請求項１乃至４のいずれかに記載の傘置きスタンド。
【請求項６】
傘収納用ボックス部は、大きな箱体を区画壁で区画するようにして形成されていることを特徴とする請求項１乃至５のいずれかに記載の傘置きスタンド。
【請求項７】
フレーム枠体の下部分にはキャスターを設けてあることを特徴とする請求項１乃至６のいずれかに記載の傘置きスタンド。
【発明の詳細な説明】
【技術分野】
【０００１】
この発明は、折り畳み傘（長さ方向に短く折り畳める傘）を畳んだ状態で置くため傘置きスタンドに関するものである。
【背景技術】
【０００２】
現時点では雨が降っていなくても、天気予報により雨が降る可能性があると報道された場合、一般的に、嵩張らない折り畳み傘を鞄等に入れて出かけることが多い。
【０００３】
しかしながら、従来の傘置きスタンド（例えば、特許文献１）では、雨で濡れた状態では折り畳み傘を長くした状態で立て掛けなければならないが、この際、以下の(1) (2)に示すような不具合が生じていた。
(1) 一般に折り畳み傘は折り畳まない状態においても長さが短いので立て掛けることができない場合があった。
(2)たとえ立て掛けることができても折り畳み機構の部分で傘が広がったりし、その後に立て掛けられる傘により当該傘が損傷することがあった。 
【０００４】
したがって、傘置きスタンドを取り扱う業界では、上記折り畳み傘特有の不具合が解消できるものを市場に出すこと目指して、開発に取り組んでいる。
【特許文献１】実開平６−２４５８２
【発明の開示】
【発明が解決しようとする課題】
【０００５】
そこで、この発明では、折り畳み傘であってもその長さに関係なく置くことができ且つ傘が損傷するようなことがない傘置きスタンドを提供することを課題とする。
【課題を解決するための手段】
【０００６】
（請求項１記載の発明）
この発明の傘置きスタンドは、折り畳み傘を畳んだ状態で置くため傘置きスタンドであって、フレーム枠体内に前面開放の傘収納用ボックス部が多数配列されており、前記傘収納用ボックス部の底面が傾斜していると共に前記底面の一番低い位置に水抜き孔が形成され、少なくとも水抜き孔の直下部分には水受け部が配置されている。
【０００７】
（請求項２記載の発明）
この発明の傘置きスタンドは、折り畳み傘を畳んだ状態で置くため傘置きスタンドであって、フレーム枠体内に上面開放の傘収納用ボックス部が多数配列されており、前記傘収納用ボックス部の底面が傾斜していると共に前記底面の一番低い位置に水抜き孔が形成されており、少なくとも水抜き孔の直下部分には水受け部が配置されている。
【０００８】
（請求項３記載の発明）
この発明の傘置きスタンドは、上記請求項１又は２記載の発明に関し、長さ方向に折り畳み不能な傘を立てた状態で保持する部分を備えている。
【０００９】
（請求項４記載の発明）
この発明の傘置きスタンドは、上記請求項１乃至３のいずれかに記載の発明に関し、傘収納用ボックスの開放部には、当該開放部を開閉自在にする扉を設けてある。
【００１０】
（請求項５記載の発明）
この発明の傘置きスタンドは、上記請求項１乃至４のいずれかに記載の発明に関し、傘収納用ボックスを構成する壁面のうち、側面壁は多数の孔を設けたものとしている。
【００１１】
（請求項６記載の発明）
この発明の傘置きスタンドは、上記請求項１乃至５のいずれかに記載の発明に関し、傘収納用ボックス部は、大きな箱体を区画壁で区画するようにして形成されている。
【００１２】
（請求項７記載の発明）
この発明の傘置きスタンドは、上記請求項１乃至６のいずれかに記載の発明に関し、フレーム枠体の下部分にはキャスターを設けてある。
【発明の効果】
【００１３】
この発明の傘置きスタンドを採用した場合、折り畳み傘であってもその長さに関係なく置くことができ且つ傘が損傷するようなことがない。発明の効果の詳細は、下記の発明を実施するための最良の形態の欄で明らかにする。
【発明を実施するための最良の形態】
【００１４】
以下にこの発明の傘置きスタンドを実施するための最良の形態としての実施例について詳細に説明する。
【実施例１】
【００１５】
図１はこの発明の実施例２の傘置きスタンドＳＤの斜視図、図２は前記傘置きスタンドＳＤの断面図を示している。
【００１６】
（この傘置きスタンドＳＤの基本的構成について）
この傘置きスタンドＳＤは、図１や図２に示すように、全体が剛性の高いフレーム枠体１と、前記フレーム枠体１内の前部域に設けられた傘置きスタンド部２と、前記フレーム枠体１内の後部域に設けられた傘立てスタンド部３と、前記フレーム枠体１の下面に取り付けられたキャスター４とから構成されている。
【００１７】
以下に、上記、フレーム枠体１、傘置きスタンド部２及び傘立てスタンド部３について詳述する。
【００１８】
（フレーム枠体１について）
フレーム枠体１は、図１や図２に示すように、全体の形状を保つための主フレーム部１ａと、傘置きスタンド部２の形状を保つための部分フレーム部１ｂから構成されている。
【００１９】
主フレーム１ａは、図１や図２に示すように、前後・左右の部材から成る枠状の底部１１と、前記底部１１の前方側角部から立ち上げた短柱１２，１２と、前記底部１１の後方側角部から立ち上げた長柱１３，１３、各短柱１２，１３相互間に架設された傾斜梁１４，１４と、前記短柱１２，１２の上端部相互間に架設された横梁１５と、前記長柱１３，１３相互間に架設された横梁１６とから構成されており、全ての部材は一体化されている。
【００２０】
部分フレーム１１は、図１や図２に示すように、短柱１２と短柱１３の間における底部１１から立ち上げた中間柱１７の上端と、短柱１２の上短から後方に向かって下方に傾斜する傾斜梁１８の後端とを一体化するようにして構成されている。
【００２１】
なお、このフレーム枠体１における、背面開放部は化粧板１０により、傘置きスタンド部２の下方開放部は化粧板１９により、それぞれ閉蓋してある。また、上記底部１１には、図１や図２に示すように、その枠内全域に至る皿状の水受け部５を配置してある。
【００２２】
ここで、この実施例のフレーム枠体１は、横幅４６０ｍｍ、最大高さ１０８０ｍｍ，奥行４２０ｍｍとしてある。
【００２３】
（傘置きスタンド部２について）
この傘置きスタンド部２は、図１や図２に示すように、フレーム枠体１内に前面開放の傘収納用ボックス部２０が多数配列（縦４列、横３列）されており、前記傘収納用ボックス部２０の底面２１が、後方に向かって下方に傾斜していると共に前記底面２１の一番低い位置に水抜き孔２２を形成してある。
【００２４】
上記傘収納用ボックス部２０は、図１や図２に示すように、大きな箱体２０ａを区画壁２０ｂで区画するようにして形成されており、折り畳まれた折り畳み傘Ｋ１が余裕を持って収容できる大きさ（前面開放部の大きさは１４０ｍｍ×１４０ｍｍ、奥行き２４０ｍｍ）にすると共に、底面２１の傾斜角度は２０°に設定してある。
【００２５】
なお、上記区画壁２０ｂのうち縦板は、図２に示す如くパンチングメタルにより構成されている。
【００２６】
（傘立てスタンド部３について）
傘立てスタンド部３は、図１や図２に示すように、上記傘置きスタンド部２の後方に設けられており、上記長柱１３，１３相互間にかけ渡した丸棒３０と、前記丸棒３０と箱体２０ａ相互間にかけ渡した複数の丸棒３１とから構成されている。すなわち、この傘立てスタンド部３では、丸棒３０，３１と箱体２０ａの奥側壁面によって形成される複数の区画部により、長さ方向に折り畳み不能な傘K（この明細書では通常傘Kという）を立て掛けるための部分を構成しているのである。
【００２７】
（キャスター４について）
キャスター４は、市販のものであり、図３に示すように、枠状の底部１１の下面側における各角部近傍に設けられている。
【００２８】
（傘置きスタンドＳＤを構成する部材について）
この傘置きスタンドＳＤを構成する部材は、水分に触れる機会が多いので、ステンレス材であることが好ましい。
【００２９】
（この傘置きスタンドＳＤの優れた機能について）
(1) 従来の傘置きスタンドでは、一般に折り畳み傘は長さ方向に折り畳まない状態においても長さが短いので、立て掛けることができない場合があった。
【００３０】
これに対して、この傘置きスタンドＳＤでは、図１に示すように、折り畳み傘Ｋ１を折り畳んだ状態で一本毎に傘収納用ボックス部２０の底面２１上に載せ置くことができる。したがって、従来の傘用スタンドの如き置けないというような問題は生じない。
【００３１】
(2) 上述した如くこの傘置きスタンドＳＤでは、折り畳み傘Ｋ１を折り畳んだ状態で一本毎に傘収納用ボックス部２０の底面２１上に載せ置くものであるから、その後に立て掛けられる傘により当該折り畳み傘Ｋ１が損傷するようなことがない。
【００３２】
(3) この傘置きスタンドＳＤでは、傘収納用ボックス部２０の底面２１が、後方に向かって下方に傾斜していると共に前記底面２１の一番低い位置に水抜き孔２２が形成されており、更に水抜き孔２２の下方には水受け部５を配置してあるから、折り畳み傘Ｋ１からの水分は底面２１→水抜き孔２２→水受け部５へと流れ、折り畳み傘Ｋ１の水切りは円滑にできる。
【００３３】
(4)当然のことながら、通常傘Kは、傘立てスタンド部３に立て掛けることができる。
【００３４】
（類似する形態について）
なお、図３に示すように、傘収納用ボックス２０の開放部には、開閉可能な鍵付き扉９を設けてあり、傘立てスタンド部３には傘の柄部を保持する錠前９０を横梁１６に設けてあるものとすることができる。
【実施例２】
【００３５】
図４はこの発明の実施例２の傘置きスタンドＳＤの斜視図、図５は前記傘置きスタンドＳＤの断面図を示している。
【００３６】
（この傘置きスタンドＳＤの基本的構成について）
この傘置きスタンドＳＤは、図４や図５に示すように、フレーム枠体１と、前記フレーム枠体１内の下部域及び上部域に設けられた傘置きスタンド部２，６と、前記フレーム枠体１の下面に取り付けられたキャスター４とから構成されている。すなわち、この傘置きスタンドＳＤでは、実施例１に存在していた傘立てスタンド部３がない代わりに、フレーム枠体１の上部域に傘置きスタンド部６を設けている。したがって、以下に、傘置きスタンド部６の構成及びこれに付随して形成された構造についてのみ説明する。
【００３７】
傘置きスタンド部６は、図４や図５に示すように、フレーム枠１内に上面開放の傘収納用ボックス部６０が複数配列（縦３列、横３列）されており、前記傘収納用ボックス部６０の底面６１が、前方に向かって下方に傾斜していると共に前記底面２１の一番低い前部位置に水抜き孔６２が形成されている。なお、この記傘収納用ボックス部６０は、図４や図５に示すように、大きな箱体６０ａを区画壁６０ｂで区画するようにして形成されており、折り畳まれた折り畳み傘Ｋ１が余裕を持って収容できる大きさにすると共に、底面６１の傾斜角度を２０°としてある。
【００３８】
この傘置きスタンドＳＤにおいても上記実施例１の（この傘置きスタンドＳＤの優れた点について）に記載の (1)〜(3)と同等の優れた機能を有することは明らかである。
【００３９】
（類似する形態について）
なお、図6に示すように、傘収納用ボックス部２０，６０の開放部に、それぞれ開閉可能な鍵付き扉９を設けてあるものとすることができる。
【実施例３】
【００４０】
図７はこの発明の実施例３の傘置きスタンドＳＤの斜視図、図８は前記傘置きスタンドＳＤの断面図を示している。
【００４１】
（この傘置きスタンドＳＤの基本的構成について）
この傘置きスタンドＳＤは、上記実施例１と同様に、図７や図８に示すように、全体が剛性の高いフレーム枠体１と、前記フレーム枠体１内の前部域に設けられた傘置きスタンド部２と、前記フレーム枠体１内の後部域に設けられた傘立てスタンド部３と、前記フレーム枠体１の下面に取り付けられたキャスター４とから構成されているが、前記傘置きスタンド部２及びこれを受けるためのフレーム枠体１の構成が実施例１と相違している。
【００４２】
この実施例３では、図７や図８に示すように、傘収納用ボックス部２０は一つ一つ独立した上端開放の箱状体により構成されており、前記箱状体の前面下辺ラインＬを支点として前倒しできるようにしてある。これを実現するため、フレーム枠体１に傘収納用ボックス部２０を載せ置くための台座部１００を設け、前記台座部１００に傘収納用ボックス部２０を蝶板１０１によって揺動自在に取り付けてある。なお、この傘収納用ボックス部２０は、当該傘収納用ボックス部２０を構成する奥板と、フレーム枠体１側の前面壁との係合により、図８に示す程度しか前倒れしないようになっている。  
【００４３】
この傘置きスタンドＳＤにおいても上記実施例１の（この傘置きスタンドＳＤの優れた点について）に記載の (1)〜(3)と同等の優れた機能を有することは明らかである。なお、この実施例３の傘置きスタンドＳＤでは折り畳み傘Ｋ１は立て掛けられる形態で底面２１に載せ置かれるから、雨で濡れた状態において水切りが円滑である。
【図面の簡単な説明】
【００４４】
【図１】この発明の実施例１の傘置きスタンドの斜視図。
【図２】前記傘置きスタンドの断面図。
【図３】前記実施例１に類似する形態の傘置きスタンドの斜視図。
【図４】この発明の実施例２の傘置きスタンドの斜視図。
【図５】前記施例２の傘置きスタンドの断面図。
【図６】前記実施例２に類似する形態の傘置きスタンドの斜視図。
【図７】この発明の実施例３の傘置きスタンドの斜視図。
【図８】前記施例３の傘置きスタンドの断面図。
【符号の説明】
【００４５】
ＳＤ    傘置きスタンド
Ｋ１    折り畳み傘
Ｋ      通常傘
１      フレーム枠体
２      傘置きスタンド部
２０    傘収納用ボックス
２１    底面
２２    水抜き孔
３      傘立てスタンド部
４      キャスター
５      水受け部
【図１】
2007089994.tif 000003
【図２】
2007089994.tif 000004
【図３】
2007089994.tif 000005
【図４】
2007089994.tif 000006
【図５】
2007089994.tif 000007
【図６】
2007089994.tif 000008
【図７】
2007089994.tif 000009
【図８】
2007089994.tif 000010